(57)【要約】【課題】子供用ズボンにおいて、いつでも必要なときに両手を空けて子供を抱いたり背負ったりでき、保護者も子供もファッション性を低下させないこと。【解決手段】子供用ズボン１においては、後身頃のポケット３の中に補強布６が縫付けられ、その上から左右の上部ファスナー４ａ近傍に１対の肩掛けベルト７が縫付けられて、先端にはプラスティックバックルの一方８ａが取付けられている。一方、下部ファスナー４ｂの近傍には股布地９が縫付けられ、先端には腰ベルト１０の中央部分が縫付けられ、腰ベルト１０の両端にはプラスティックバックルの一方８ａと他方８ｂがそれぞれ取付けられている。さらに、股布地９を子供の股下を通して腰ベルト１０を保護者の腰に装着したとき、１対の肩掛けベルト７の先端に取付けられたプラスティックバックルの一方８ａが接続される２箇所に、他方８ｂがそれぞれ取付けられている。【選択図】        図２
2005060847.tif 000002
【特許請求の範囲】
【請求項１】
子供用ズボン本体の後身頃に縫付けられたポケットと、
該ポケットの上端に沿って左右２箇所または全長に亘って開閉自在に取付けられた上部開閉具と、
前記ポケットの下端に沿って開閉自在に取付けられた下部開閉具と、
前記ポケット内部の前記上部開閉具近傍に左右１対で取付けられた先端に接続具の一方を有する長さ調節機構付きの肩掛けベルトと、
前記ポケット内部の前記下部開閉具近傍に取付けられた子供の股を支える所定長さの股布地と、
該股布地の先端に中央部分が取付けられ、両端に１組の接続具の一方と他方それぞれを有し、前記肩掛けベルトの先端の接続具の一方に対応する位置に前記接続具の他方がそれぞれ取付けられた長さ調節機構付きの腰ベルトとを具備し、
不使用時には前記肩掛けベルトは前記上部開閉具の開口部分から前記ポケット内へ収納し、前記腰ベルト及び前記股布地は前記下部開閉具の開口部分から前記ポケット内へ収納して、前記上部開閉具及び前記下部開閉具を閉じておくことを特徴とする子供用ズボン。
【請求項２】
子供用ズボン本体の後身頃に縫付けられたポケットと、
該ポケットの上端を残して前記ポケットをほぼ一周するように開閉自在に取付けられたポケットファスナーと、
前記ポケット内部の上部に左右１対で取付けられた先端に接続具の一方を有する長さ調節機構付きの肩掛けベルトと、
前記ポケット内部の下部に取付けられた子供の股を支える所定長さの股布地と、
該股布地の先端に中央部分が取付けられ、両端に１組の接続具の一方と他方それぞれを有し、前記肩掛けベルトの先端の接続具の一方に対応する位置に前記接続具の他方がそれぞれ取付けられた長さ調節機構付きの腰ベルトとを具備し、
使用時には前記ポケットファスナーを全開にして前記肩掛けベルト、前記腰ベルト及び前記股布地を取り出した後、前記ポケットの表地と底地とを押え具で留めておき、不使用時には前記押え具を外して、前記肩掛けベルト、前記腰ベルト及び前記股布地を前記ポケットファスナーの開口部分から前記ポケット内へ収納して、前記ポケットファスナーを閉じておくことを特徴とする子供用ズボン。
【請求項３】
前記肩掛けベルト及び／または前記股布地が着脱可能に前記ポケット内に取付けられていることを特徴とする請求項１または請求項２に記載の子供用ズボン。
【請求項４】
前記ポケットの前面の蓋の下に一または二以上の小ポケットを取付けたことを特徴とする請求項１乃至請求項３のいずれか１つに記載の子供用ズボン。
【請求項５】
前記ポケット内において、前記肩掛けベルトの収納部分と前記腰ベルト及び前記股布地の収納部分が区分されていることを特徴とする請求項１乃至請求項４のいずれか１つに記載の子供用ズボン。
【請求項６】
前記肩掛けベルト、前記腰ベルト及び前記股布地は前記子供用ズボン本体と同一の生地で作られていることを特徴とする請求項１乃至請求項５のいずれか１つに記載の子供用ズボン。
【請求項７】
前記１対の肩掛けベルト、前記ポケットの本体、及び前記股布地の中に緩衝材を入れたことを特徴とする請求項１乃至請求項６のいずれか１つに記載の子供用ズボン。
【請求項８】
前記ポケットの全体を前記子供用ズボン本体の後身頃に着脱可能に取付けたことを特徴とする請求項１乃至請求項７のいずれか１つに記載の子供用ズボン。
【請求項９】
前記上部開閉具と下部開閉具は、上下の別なく設けられたことを特徴とする請求項１，請求項３乃至請求項８のいずれか１つに記載の子供用ズボン。
【発明の詳細な説明】
【０００１】
【発明の属する技術分野】
本発明は、幼児等の子供を抱いたり背負ったりするためのベルトを備えた子供用ズボンに関するものであり、特に、抱いたり背負ったりしないときには通常の長ズボンまたは半ズボン、オーバーオール、サロペット等としてファッション性を低下させることのない子供用ズボンに関するものである。
【０００２】
【従来の技術】
【特許文献１】特開２００１−５５６０８号公報
本出願人のうち１人は、先に、格別専用の用具を持参する必要がなく、いつでも必要なときに両手を空けて子供を抱くことができ、かつ保護者のファッション性を低下させることのない子供ズボンにかかる発明についての出願をしている（上記特許文献１）。この特許文献１に開示された発明においては、大きい機械的張力に耐えるウエスト部及び臀部位置を有する子供用ズボン本体と、子供用ズボン本体の右脚部と左脚部の股部の±１５ｃｍの範囲内に一端部を固着し、ウエスト部付近に他端を固着した１対のベルトとを具備している。
【０００３】
これによって、抱いたり背負ったりする用具を持参しなくても必要なときに子供ズボンに取付けてある１対のベルトを使用することによって、子供を抱いたり背負ったりすることができ、両手が自由になり、抱いたり背負ったりする用具を持ち歩く必要もないので、保護者のファッション性を低下させることもない。さらに、子供用ズボン本体に１対のベルトを収納する収納袋を取付けることによって、子供用ズボン本体の意匠性を低下させることがなく、幼児が着用している場合でも１対のベルトが幼児の歩行の妨げになることもない。
【０００４】
【発明が解決しようとする課題】
しかしながら、上記特許文献１に記載された子供ズボンにおいては、１対のベルトを子供用ズボン本体の前面に取付けているために、子供を抱いたときに保護者と接近しすぎて窮屈であり装着がし難く、また１対のベルトが子供用ズボン本体の下半身側に取付けられているために、上半身が不安定で子供も保護者も落ち着かず、子供が動くとずり落ちてしまうという問題点があった。
【０００５】
そこで、本発明は、子供も保護者も楽にかつ安定して取付けられるベルトを具備するとともに、いつでも必要なときに両手を空けて子供を抱いたり背負ったりすることができ、かつ保護者のファッション性をも子供のファッション性をも低下させることのない子供用ズボンの提供を課題とするものである。
【０００６】
【課題を解決するための手段】
請求項１の発明にかかる子供用ズボンは、子供用ズボン本体の後身頃に縫付けられたポケットと、該ポケットの上端に沿って左右２箇所または全長に亘って開閉自在に取付けられた上部開閉具と、前記ポケットの下端に沿って開閉自在に取付けられた下部開閉具と、前記ポケット内部の前記上部開閉具近傍に左右１対で取付けられた先端に接続具の一方を有する長さ調節機構付きの肩掛けベルトと、前記ポケット内部の前記下部開閉具近傍に取付けられた子供の股を支える所定長さの股布地と、該股布地の先端に中央部分が取付けられ、両端に１組の接続具の一方と他方それぞれを有し、前記肩掛けベルトの先端の接続具の一方に対応する位置に前記接続具の他方がそれぞれ取付けられた長さ調節機構付きの腰ベルトとを具備し、不使用時には前記肩掛けベルトは前記上部開閉具の開口部分から前記ポケット内へ収納し、前記腰ベルト及び前記股布地は前記下部開閉具の開口部分から前記ポケット内へ収納して、前記上部開閉具及び前記下部開閉具を閉じておくものである。
【０００７】
ここで、「接続具」としては、スライドバックル、スライドループ、Ｄカン、ナスカン、セットフック等の金属製のもの或いは合成樹脂製のものがある。また、「長さ調節機構」としては、アジャスターバックル、スライドバックル、スライドループ等の金属製のもの或いは合成樹脂製のものがある。そして、「開閉具」としては、ファスナー、スナップボタン、ボタン、接着布（マジックテープ（登録商標））等が使用される。
【０００８】
このように構成された子供用ズボンにおいて、保護者が子供を抱いたり背負ったりするときには、まずポケットの上部開閉具と下部開閉具を全開にして肩掛けベルトと股布地及び腰ベルトとをそれぞれ上下から引き出し、股布地を子供の股下を通してから腰ベルトを保護者の腰回りに回して両端の接続具を接続し、腰ベルトを保護者の腰回りに装着する。それから、長さ調節機構によって腰ベルトの長さを保護者の腰回りに合わせて調節するが、この長さ調節は出かける前に予めやっておく方がより好ましい。続いて、１対の肩掛けベルトを子供の両脇の下を通して保護者の肩に掛け、肩掛けベルトの先端の接続具の一方を腰ベルトに設けられた接続具の他方に接続して、長さ調節機構によって肩掛けベルトの長さを調節するが、この長さ調節も出かける前に予めやっておく方がより好ましい。
【０００９】
こうして、子供を抱いたり背負ったりすることができるが、子供の背中側から肩掛けベルトが出るので、子供と保護者の間に余裕があり、装着し易い。また、子供の股下を支える股布地を取付けたので子供が楽に座ることができ、子供と保護者を支えるための腰ベルトを設けたので双方とも楽である。さらに、肩掛けベルトを子供の脇の下を通して保護者の肩に掛けるので、子供の上半身も安定する。そして、外観的には子供が背中にリュックを背負っているように見え、さらに不使用時にはベルト類は全て子供用ズボンの背中のポケットに収納されるので、保護者のファッション性も子供のファッション性も損なわれることがない。
【００１０】
このようにして、子供も保護者も楽にかつ安定して取付けられるベルトを具備するとともに、いつでも必要なときに両手を空けて子供を抱いたり背負ったりすることができ、かつ保護者のファッション性をも子供のファッション性をも低下させることのない子供用ズボンとなる。
【００１１】
請求項２の発明にかかる子供用ズボンは、子供用ズボン本体の後身頃に縫付けられたポケットと、該ポケットの上端を残して前記ポケットをほぼ一周するように開閉自在に取付けられたポケットファスナーと、前記ポケット内部の上部に左右１対で取付けられた先端に接続具の一方を有する長さ調節機構付きの肩掛けベルトと、前記ポケット内部の下部に取付けられた子供の股を支える所定長さの股布地と、該股布地の先端に中央部分が取付けられ、両端に１組の接続具の一方と他方それぞれを有し、前記肩掛けベルトの先端の接続具の一方に対応する位置に前記接続具の他方がそれぞれ取付けられた長さ調節機構付きの腰ベルトとを具備し、使用時には前記ポケットファスナーを全開にして前記肩掛けベルト、前記腰ベルト及び前記股布地を取り出した後、前記ポケットの表地と底地とを押え具で留めておき、不使用時には前記押え具を外して、前記肩掛けベルト、前記腰ベルト及び前記股布地を前記ポケットファスナーの開口部分から前記ポケット内へ収納して、前記ポケットファスナーを閉じておくものである。
【００１２】
ここで、「押え具」としては、スナップボタン、ドット釦、接着布（マジックテープ（登録商標））等を用いることができる。
【００１３】
これによって、ポケットファスナーを全開すればポケット内部に取付けられた肩掛けベルト、腰ベルト及び股布地を素早く上下へ引き出すことができ、引き出した後はポケットの表地と底地とを押え具で留めることによって、ポケットの表地がひらひらするのを抑えることができる。ベルト類の装着の仕方は、請求項１の発明にかかる子供用ズボンと同様である。また、不使用時には、ポケットファスナーを閉じながら肩掛けベルト、腰ベルト及び股布地をポケット内部へ収納する。
【００１４】
ここで、子供の背中側から肩掛けベルトが出るので、子供と保護者の間に余裕があり、装着し易い。また、子供の股下を支える股布地を取付けたので子供が楽に座ることができ、子供と保護者を支えるための腰ベルトを設けたので双方とも楽である。さらに、肩掛けベルトを子供の脇の下を通して保護者の肩に掛けるので、子供の上半身も安定する。そして、外観的には子供が背中にリュックを背負っているように見え、さらに不使用時にはベルト類は全て子供用ズボンの背中のポケットに収納されるので、保護者のファッション性も子供のファッション性も損なわれることがない。
【００１５】
このようにして、子供も保護者も楽にかつ安定して取付けられるベルトを具備するとともに、いつでも必要なときにベルト類を素早く取り出して両手を空けて子供を抱いたり背負ったりすることができ、かつ保護者のファッション性をも子供のファッション性をも低下させることのない子供用ズボンとなる。
【００１６】
請求項３の発明にかかる子供用ズボンは、請求項１または請求項２の構成において、前記肩掛けベルト及び／または前記股布地が着脱可能に前記ポケット内に取付けられているものである。
【００１７】
肩掛けベルトまたは股布地とそれにつながる腰ベルト、またはその両方をポケットから着脱可能とすることによって、洗濯するときに子供用ズボン本体とベルト類とを別々に洗濯することができるので、非常に楽である。また、肩掛けベルト及び股布地とそれにつながる腰ベルトを全て外してしまえば、ポケットの中に空間ができるので、リュックサックとして使用することができ、外出時にタオル・ハンカチ・ティッシュペーパー等を入れて、子供に背負わせて歩かせることができる。
【００１８】
このようにして、子供も保護者も楽にかつ安定して取付けられるベルトを具備するとともに、洗濯するときに子供用ズボン本体とベルト類とを別々に洗濯することができ、またベルト類を全て取外すことによってリュックサックとしても使用できる子供用ズボンとなる。
【００１９】
請求項４の発明にかかる子供用ズボンは、請求項１乃至請求項３のうちいずれか１つの構成において、前記ポケットの前面の蓋の下に一または二以上の小ポケットを取付けたものである。
【００２０】
通常時、ポケットの中にはベルト類が収納されているので、小物入れとしても使い難い。しかし、このように小ポケットを取付けることによって、ちょっとした小物（ハンカチ、ティッシュペーパー、菓子等）を入れることができて便利であり、さらに小ポケットを本体ポケットと同じような形にすれば、ポケットの蓋を開けたときにおまけが付いているようで、可愛らしさがあってファッション性が向上する。
【００２１】
このようにして、子供も保護者も楽にかつ安定して取付けられるベルトを具備するとともに、小物入れとしても便利でファッション性が高い子供用ズボンとなる。
【００２２】
請求項５の発明にかかる子供用ズボンは、請求項１乃至請求項４のいずれか１つの構成において、前記ポケット内において、前記肩掛けベルトの収納部分と前記腰ベルト及び前記股布地の収納部分が区分されているものである。
【００２３】
ポケット内を区分しておかないと、肩掛けベルトと腰ベルトが絡まってしまって引き出すのが困難になる恐れがあり、また肩掛けベルトと腰ベルトとして使用しているときに、開いている上部開閉具から空のポケット内に物を入れようとすると、下部開閉具も開いているため物が落ちてしまう。
【００２４】
しかし、このように、ポケット内の上部開閉具から入れる部分と下部開閉具から入れる部分が区分されていれば、肩掛けベルトと腰ベルトが絡まることもなくスムーズに別々に引き出すことができ、また肩掛けベルトと腰ベルトとして使用しているときに、開いている上部開閉具から空のポケット内に物を入れても落ちる心配はない。
【００２５】
このようにして、子供も保護者も楽にかつ安定して取付けられるベルトを具備するとともに、肩掛けベルトと腰ベルトをスムーズに別々に引き出すことができ、空のポケット内に物を入れることができる子供用ズボンとなる。
【００２６】
請求項６の発明にかかる子供用ズボンは、請求項１乃至請求項５のいずれか１つの構成において、前記肩掛けベルト、前記腰ベルト及び前記股布地は前記子供用ズボン本体と同一の生地で作られているものである。
【００２７】
これによって、肩掛けベルト、腰ベルトの使用中においても、子供用ズボン本体と一体化して見られるため、子供のファッション性を損なうことがない。
【００２８】
このようにして、子供も保護者も楽にかつ安定して取付けられるベルトを具備するとともに、子供のファッション性を損なうことがない子供用ズボンとなる。
【００２９】
請求項７の発明にかかる子供用ズボンは、請求項１乃至請求項６のいずれか１つの構成において、前記１対の肩掛けベルト、前記ポケットの本体、及び前記股布地の中に緩衝材を入れたものである。
【００３０】
ここで、緩衝材としては、ドミット芯（キルティングの中身）やウレタンフォーム等がある。
【００３１】
１対の肩掛けベルトには、保護者が子供を抱いたり背負ったりするときに肩の部分に荷重が掛かり、ポケットの本体には子供の臀部が当り、股布地には子供の股が当るため、中にドミット芯やウレタンフォーム等の緩衝材を入れることによって当りを柔らかくして局部的に圧迫されることがないようにしたものである。なお、肩掛けベルトの緩衝材は、保護者の肩に当る部分のみに入れても良い。
【００３２】
このようにして、子供も保護者も楽にかつ安定して取付けられるベルトを具備するとともに、保護者も子供も局部的に圧迫されることがない子供用ズボンとなる。
【００３３】
請求項８の発明にかかる子供用ズボンは、請求項１乃至請求項７のいずれか１つの構成において、前記ポケットの全体を前記子供用ズボン本体の後身頃に着脱可能に取付けたものである。
【００３４】
これによって、洗濯する場合にはポケット全体を外して子供用ズボン本体のみを洗うことができ、また請求項３に記載の構成のようにポケットとベルト類とも着脱可能にしておけば、ポケットとベルト類をも別々に洗濯することができ、洗濯が非常に楽になる。そして、ポケット全体を子供用ズボン本体の後身頃に取付ける方法としては、例えばファスナーで全周またはその大部分を取付けるようにすれば、ポケットを直接子供用ズボン本体の後身頃に縫付けたのと遜色のない強度が得られる。
【００３５】
さらに、本発明が対象とする子供（乳児から幼児）の体の大きさは急速に大きくなって行くので、ベルト類付き子供用ズボンの大きさも多種類を用意しておかなければならないが、ポケットの全体を子供用ズボン本体の後身頃に着脱可能にすれば、ベルト類付きポケットは１つで済み、子供用ズボン本体の後身頃にファスナー等の着脱具を取付けただけのものの大きさを変えて取り揃えれば良いので、全体として低コスト化を図ることができる。
【００３６】
このようにして、子供も保護者も楽にかつ安定して取付けられるベルトを具備するとともに、洗濯が非常に楽にでき、子供の成長に合わせてポケットを付け替えることができる子供用ズボンとなる。
【００３７】
請求項９の発明にかかる子供用ズボンは、請求項１，請求項３乃至請求項８のいずれか１つの構成において、前記上部開閉具と下部開閉具は、上下の別なく設けられたものである。
【００３８】
前記上部開閉具と下部開閉具は、引き出すのが容易なように、上下に設けたものであるが、前記上部開閉具と下部開閉具は、上下の別なくコ字状に、或いは左右に、或いはさらに複数箇所に分割して開閉自在に構成することができる。
【００３９】
【発明の実施の形態】
以下、本発明の実施の形態について、図面を参照して説明する。以下の実施の形態では、本発明を乳幼児に適用した場合について説明するが、本発明を実施する場合は乳幼児に限定されるものではなく、抱いたり背負ったりする必要が生ずる子供一般に適用できるものである。
【００４０】
実施の形態１
まず、本発明の実施の形態１について、図１乃至図５を参照して説明する。図１は本発明の実施の形態１にかかる子供用ズボンのベルト類をポケット内に収納した状態を示す背面図である。図２は本発明の実施の形態１にかかる子供用ズボンのベルト類をポケットから出して伸ばした状態を示す説明図である。図３（ａ）は本発明の実施の形態１にかかる子供用ズボンのベルト類を肩掛けベルトを交差させて装着した状態を示す背面図、（ｂ）は肩掛けベルトを交差させずに装着した状態を示す背面図である。図４は本発明の実施の形態１にかかる子供用ズボンのベルト類を装着する寸前の状態を前面から見た正面図である。図５（ａ）は本発明の実施の形態１にかかる子供用ズボンを用いて乳児を抱いた状態を示す斜視図、（ｂ）はもう少し大きい幼児を抱いた状態を示す斜視図である。
【００４１】
図１に示されるように、本実施の形態１にかかる子供用ズボン１は、デニム生地からなるオーバーオールの子供用ズボン本体２の後身頃に、同じくデニム生地からなる蓋３ａ付きのポケット３を縫付けて、ポケット３の上端に沿って左右２箇所に開閉自在の上部開閉具としての上部ファスナー４ａを取付け、ポケット３の下端に沿って同じく開閉自在の下部開閉具としての下部ファスナー４ｂを取付けたものである。但し、ポケット３の蓋３ａを開いても、ポケット３の内部にはつながっていないダミーの蓋３ａである。ポケット３の中には、図２に示されるように、補強布６が縫付けられて、その上から左右の上部ファスナー４ａ近傍に１対の肩掛けベルト７が縫付けられている。
【００４２】
この肩掛けベルト７はやはりデニム生地製で、途中に長さ調節機構としてのアジャスターバックル７ａが取付けられ、先端には接続具としてのプラスティックバックルの一方（凸側）８ａが取付けられている。一方、下部ファスナー４ｂの近傍には、やはりデニム生地製の子供の股下を支える股布地９が縫付けられ、この股布地９の先端には、やはりデニム生地製の腰ベルト１０の中央部分が縫付けられている。
【００４３】
この腰ベルト１０の両端には、接続具としてのプラスティックバックルの一方（凸側）８ａと他方（凹側）８ｂがそれぞれ取付けられており、途中には長さ調節機構としてのアジャスターバックル１０ａが２箇所に取付けられている。さらに、股布地９を子供の股下を通して腰ベルト１０を保護者の腰に装着したとき、１対の肩掛けベルト７の先端に取付けられたプラスティックバックルの一方（凸側）８ａが接続される２箇所に、プラスティックバックルの他方（凹側）８ｂがそれぞれ取付けられている。
【００４４】
なお、保護者の肩に荷重が掛かる１対の肩掛けベルト７、子供の股下部分を支える股布地９、及び子供の臀部が当るポケット３本体の内部には、当りを良くするためにドミット芯が入れられている。
【００４５】
かかる構造を有する本実施の形態１の子供用ズボン１を、ポケット３の上下からベルト類を引き出して装着した状態が図３の背面図に示されている。通常は、図３（ａ）に示されるように、左右１対の肩掛けベルト７を子供の背中側で交差させて装着する場合が多いが、状況によっては図３（ｂ）に示されるように、交差させずに装着する場合もある。
【００４６】
図４には、本実施の形態１の子供用ズボン１を装着する寸前の状態を保護者側から見た正面図が示されている。抱くにしても背負うにしても、股布地９を子供の股下に通して、腰ベルト１０を両端の接続具としてのプラスティックバックルの一方（凸側）８ａと他方（凹側）８ｂを接続することによって保護者が装着するが、このとき緩くもきつくもなく丁度良い締め具合になるように、２箇所のアジャスターバックル１０ａで予め調節しておくべきである。それから、１対の肩掛けベルト７を先端のプラスティックバックルの一方（凸側）８ａを腰ベルト１０の２箇所に取付けられたプラスティックバックルの他方（凹側）８ｂとそれぞれ接続することによって装着するが、このとき丁度良い長さになるように、２本の肩掛けベルト７のアジャスターバックル７ａで予め調節しておくべきである。
【００４７】
こうして実際に保護者と子供が装着した状態を、図５（ａ），（ｂ）を参照して説明する。図５（ａ）に示されるように、子供１６がまだ余り動かない乳児（生後４ヶ月〜１０ヶ月ぐらいまで）の場合には、肩掛けベルト７を背中で交差させてそのまま保護者１５の肩に掛けて装着するのが、最も安定している。しかし、図５（ｂ）に示されるように、子供１６がもう少し大きくなった幼児（生後１０ヶ月〜３才ぐらいまで）の場合には、良く動くようになるので、肩掛けベルト７を背中で交差させ子供１６の脇の下を通してから保護者１５の肩に掛けて装着する方がより安定する。
【００４８】
幼児が歩きたがったら、片手で幼児を支えながら、片手で肩掛けベルト７を２本とも腰ベルト１０から外し、腰ベルト１０も外して、２本の肩掛けベルト７をポケット３の上部ファスナー４ａ開口から中に収納し、腰ベルト１０及び股布地９をポケット３の下部ファスナー４ｂ開口から中に収納して、上部ファスナー４ａ及び下部ファスナー４ｂをしっかり閉じれば、幼児は自由に歩くことができる。
【００４９】
このようにして、本実施の形態１の子供用ズボン１においては、子供も保護者も楽にかつ安定して取付けられるベルト類７，９，１０を子供用ズボン本体２の背中のポケット３内に具備して、いつでも必要なときに両手を空けて子供を抱いたり背負ったりすることができ、かつ子供用ズボン本体２もポケット３もベルト類７，９，１０もデニム生地で製造されているため、保護者のファッション性をも子供のファッション性をも低下させることがない。また、荷重の掛かる肩掛けベルト７、股布地９、ポケット３本体の中にはドミット芯を入れて緩衝作用を持たせてあるので、長時間装着しても保護者も子供も局部が圧迫されて痛くなることがない。なお、肩掛けベルト７のドミット芯は、保護者の肩に当る部分のみに入れても良い。
【００５０】
実施の形態２
次に、本発明の実施の形態２について、図６を参照して説明する。図６（ａ）は本発明の実施の形態２にかかる子供用ズボンのポケットの前面に取付ける小ポケットをポケットの蓋を開いて示した図、（ｂ）〜（ｅ）は小ポケットの様々な例を示す図である。
【００５１】
図６（ａ）に示されるように、本実施の形態２にかかる子供用ズボンにおいては、ポケット３やベルト類７，９，１０の取付け方と装着の仕方は実施の形態１の子供用ズボン１と同様である。ポケット３の蓋３ａを、１対のドット釦凸側３ｂとドット釦凹側３ｃで開閉する点についても同様である。異なるのは、ポケット３の蓋３ａの下に小ポケット５ａを取付けた点である。
【００５２】
通常時、ポケット３の中にはベルト類７，９，１０が収納されているので、小物入れとしても使い難い。しかし、このように小ポケット５ａを取付けることによって、ちょっとした小物（ハンカチ、ティッシュペーパー、菓子等）を入れることができて便利であり、そのままベルト類７，９，１０をポケット３から取り出して装着し、子供を抱きまたは背負うことができる。
【００５３】
かかる小ポケットの変形例として、図６（ｂ）に示されるようにマチを付けて容量を増やした小ポケット５ｂ、図６（ｃ）に示されるようにマチとフラップ（蓋）を付けた小ポケット５ｃ、図６（ｄ）に示されるように２つの小ポケット５ｄを付けたもの等がある。さらに、図６（ｅ）に示されるように小ポケット５ｅを本体ポケット３と同じような形にすれば、ポケット３の蓋３ａを開けたときにおまけが付いているようで、可愛らしさがあってファッション性が向上する。
【００５４】
このようにして、本実施の形態２にかかる子供用ズボンにおいては、子供も保護者も楽にかつ安定して取付けられるベルト類７，９，１０を具備するとともに、ハンカチ、ティッシュペーパー、菓子等の小物入れとしても便利でファッション性が高いものとなる。
【００５５】
実施の形態３
次に、本発明の実施の形態３について、図７を参照して説明する。図７（ａ），（ｂ）は本発明の実施の形態３にかかる子供用ズボンのポケットの上部開閉具と下部開閉具との関係を示す説明図である。
【００５６】
本実施の形態３にかかる子供用ズボンにおいても、ベルト類７，９，１０の取付け方と装着の仕方は実施の形態１の子供用ズボン１と同様である。異なるのは、図７（ａ），（ｂ）に示されるようにポケット３の上部開閉具としての上部ファスナー４ａがポケット３の上端全長に１つだけ設けられて、２本の肩掛けベルト７が取り出し易くなった点と、ポケット３の内部が２つに区分された点である。
【００５７】
したがって、上部ファスナー４ａの内部と下部ファスナー４ｂの内部とはつながっていないので、上部ファスナー４ａ内部の２本の肩掛けベルト７と下部ファスナー４ｂ内部の股布地９及び腰ベルト１０とが絡まる恐れがなく、どちらもスムーズに取り出すことができる。また、これらのベルト類７，９，１０を取り出して子供と保護者が装着した状態において、上部ファスナー４ａと下部ファスナー４ｂが全開になった状態で、空になったポケット３を小物入れとして用いて上部ファスナー４ａ開口部から物を入れても、内部は区分されているので全開状態の下部ファスナー４ｂ開口部から物が落ちたりすることはない。
【００５８】
このように、ポケット３内の上部ファスナー４ａから入れる部分と下部ファスナー４ｂから入れる部分が区分されていれば、肩掛けベルト７と腰ベルト１０が絡まることもなくスムーズに別々に引き出すことができ、また肩掛けベルト７と腰ベルト１０として使用しているときに、開いている上部ファスナー４ａから空のポケット３内に物を入れても開いている下部ファスナー４ｂから落ちる心配はない。
【００５９】
このようにして、本実施の形態３にかかる子供用ズボンにおいては、子供も保護者も楽にかつ安定して取付けられるベルト類７，９，１０を具備するとともに、肩掛けベルト７と腰ベルト１０をスムーズに別々に引き出すことができ、空のポケット３内に物を入れることができる。
【００６０】
実施の形態４
次に、本発明の実施の形態４について、図８乃至図１０を参照して説明する。図８は本発明の実施の形態４にかかる子供用ズボンのポケット内における肩掛けベルトと股布地の取付け方を示す説明図である。図９（ａ），（ｂ）は上記実施の形態１〜３における子供用ズボンのポケット下部における股布地の取付け方と取外し方を示す説明図である。図１０（ａ），（ｂ）は本発明の実施の形態４にかかる子供用ズボンのポケット下部における股布地の取付け方と取外し方を示す説明図である。
【００６１】
図８に示されるように、本実施の形態４にかかる子供用ズボンにおいては、１対の肩掛けベルト７と股布地９及び図示されない腰ベルト１０をポケット３内に着脱可能に取付けている。即ち、左右２箇所の上部ファスナー４ａの下方にプラスティックバックルの他方（凹側）８ｂが、肩掛けベルト受け縫付け生地１１ａによって補強布６に縫付けられており、これに肩掛けベルト７の下端に取付けられたプラスティックバックルの一方（凸側）８ａが嵌合することによって、１対の肩掛けベルト７が上部ファスナー４ａの開口部を通してポケット３内に接続される。
【００６２】
また、下部ファスナー４ｂの中央部上方には、同じくプラスティックバックルの他方（凹側）８ｂが股布地受け縫付け生地１１ｂによって補強布６に縫付けられており、これに股布地９の上端に取付けられたプラスティックバックルの一方（凸側）８ａが嵌合することによって、股布地９及び図示されない腰ベルト１０が下部ファスナー４ｂの開口部を通してポケット３内に接続される。
【００６３】
このように、肩掛けベルト７及び股布地９とそれにつながる腰ベルト１０をポケット３内から着脱可能とすることによって、洗濯するときに子供用ズボン本体２とベルト類７，９，１０とを別々に洗濯することができるので、非常に楽である。また、肩掛けベルト７及び股布地９とそれにつながる腰ベルト１０を全て外してしまえば、ポケット３の中に空間ができるので、リュックサックとして使用することができ、外出時にタオル・ハンカチ・ティッシュペーパー等を入れて、子供に背負わせて歩かせることができる。
【００６４】
このようにして、本実施の形態４にかかる子供用ズボンにおいては、子供も保護者も楽にかつ安定して取付けられるベルト類７，９，１０を具備するとともに、洗濯するときに子供用ズボン本体２とベルト類７，９，１０とを別々に洗濯することができ、またベルト類７，９，１０を全て取外すことによってリュックサックとしても使用することができる。
【００６５】
次に、股布地９のポケット３内への取付け方及び取外し方について、上記実施の形態１〜３と比較しながら図９及び図１０を参照して説明する。図９（ａ）に示されるように、上記実施の形態１〜３においては、ポケット３の下部ファスナー４ｂを開けた近傍３ｄの位置に、図９（ｂ）に示されるように、股布地９の一端９ａを位置３ｄにおいてポケット３の補強布６に強固に縫付ける。したがって、子供が成長してもう股布地９を始めとするベルト類が不要になった場合には、股布地９の一端９ａの縫い目を解くか、一端９ａの近傍で股布地９を切り離さなければならない。
【００６６】
これに対して、本実施の形態４においては、図１０（ａ）に示されるように、同じく位置３ｄにおいてポケット３の補強布６に股布地受け縫付け生地１１ｂを強固に縫付け、この股布地受け縫付け生地１１ｂによって取付けられたプラスティックバックルの他方（凹側）８ｂに、股布地９の一端に取付けられたプラスティックバックルの一方（凸側）８ａを嵌合させる。
【００６７】
ここで、当て布１２を一端１２ａにおいてポケット３の補強布６に縫付け、図１０（ｂ）に示されるように、当て布１２の他端裏側にマジックテープ（登録商標）の硬い側１３ｂを縫付け、ポケット３の補強布６の相対する部分にマジックテープ（登録商標）の軟らかい側１３ａを縫付けて、両者を接着させ、図１０（ａ）に示されるように、プラスティックバックル８ａ，８ｂの嵌合部を当て布１２で覆ってしまうこともできる。
【００６８】
そして、子供に股布地９を始めとするベルト類を使用する時期においては、プラスティックバックル８ａ，８ｂを洗濯時を除いて接続したままとして、子供が成長してもう股布地９を始めとするベルト類が不要になった場合には、当て布１２を剥がして股布地９とともにプラスティックバックル８ａを抜き取り、残ったプラスティックバックル８ｂは当て布１２で止めておく。
【００６９】
さらに、第２子が誕生したり、乳幼児を持つ友人に譲ったりして、再び股布地９を始めとするベルト類が必要になった場合には、当て布１２を剥がして股布地９とともにプラスティックバックル８ａをプラスティックバックル８ｂに嵌合させれば、再び乳幼児を抱いたり背負ったりするのに使用することができる。これに対して、上記実施の形態１〜３においては、股布地９を再び縫付け直さなければならない。この点については、１対の肩掛けベルト７についても全く同様である。
【００７０】
このように、本実施の形態４の子供用ズボンにおいては、ベルト類７，９，１０が不要になった場合は一旦取外して当て布１２をしておき、ベルト類７，９，１０が再び必要になった場合は直ちに取付けることができる。
【００７１】
実施の形態５
次に、本発明の実施の形態５について、図１１及び図１２を参照して説明する。図１１は本発明の実施の形態５にかかる子供用ズボンのベルト類をポケット内に収納した状態を示す背面図である。図１２は本発明の実施の形態５にかかる子供用ズボンのベルト類をポケットから出して伸ばした状態を示す説明図である。
【００７２】
図１１に示されるように、本実施の形態５にかかる子供用ズボン２１は、デニム生地からなるオーバーオールの子供用ズボン本体２２の後身頃に、同じくデニム生地からなるポケット２３を縫付けて、ポケット２３の外周に沿ってポケット２３の上端を残してポケット２３をほぼ一周する開閉自在のポケットファスナー２４を取付け、内部に１対の肩掛けベルト７と股布地９及び腰ベルト１０を取付け、収納したものである。そして、ポケットファスナー２４を全開することによって上端を残して分離されるポケット２３の表地には、押え具としての２個のドット釦凸側２３ａを取付け、ポケット２３の底地には押え具としての２個のドット釦凹側２３ｂを取付けている。
【００７３】
そして、図１２に示されるように、ポケット２３の中には補強布６が縫付けられて、その上から左右の上部に１対の肩掛けベルト７が縫付けられている。この肩掛けベルト７はやはりデニム生地製で、途中に長さ調節機構としてのアジャスターバックル７ａが取付けられ、先端には接続具としてのプラスティックバックルの一方（凸側）８ａが取付けられている。一方、補強布６の下部には、やはりデニム生地製の子供の股下を支える股布地９が縫付けられ、この股布地９の先端には、やはりデニム生地製の腰ベルト１０の中央部分が縫付けられている。
【００７４】
この腰ベルト１０の両端には、接続具としてのプラスティックバックルの一方（凸側）８ａと他方（凹側）８ｂがそれぞれ取付けられており、途中には長さ調節機構としてのアジャスターバックル１０ａが２箇所に取付けられている。さらに、股布地９を子供の股下を通して腰ベルト１０を保護者の腰に装着したとき、１対の肩掛けベルト７の先端に取付けられたプラスティックバックルの一方（凸側）８ａが接続される２箇所に、プラスティックバックルの他方（凹側）８ｂがそれぞれ取付けられている。
【００７５】
なお、保護者の肩に荷重が掛かる１対の肩掛けベルト７、子供の股下部分を支える股布地９、及び子供の臀部が当るポケット３本体の内部には、当りを良くするためにドミット芯が入れられている。
【００７６】
このようにポケットファスナー２４を全開にして、１対の肩掛けベルト７、股布地９及び腰ベルト１０を１度に取り出したら、ポケット２３の表地がひらひらしないように、押え具としての２個のドット釦凸側２３ａを２個のドット釦凹側２３ｂに嵌合させてポケット２３の表地を留める。１対の肩掛けベルト７、股布地９及び腰ベルト１０の装着の仕方は、上記実施の形態１と同様である。
【００７７】
このようにして、本実施の形態５の子供用ズボン２１は、子供も保護者も楽にかつ安定して取付けられるベルトを具備するとともに、いつでも必要なときにベルト類を素早く取り出して両手を空けて子供を抱いたり背負ったりすることができ、かつ保護者のファッション性をも子供のファッション性をも低下させることがない。
【００７８】
上記各実施の形態においては、ベルト類７，９，１０が取付けられるポケット３，２３を子供用ズボン本体２，２２の後身頃に縫付けた例についてのみ説明したが、ポケット３，２３の全体を子供用ズボン本体２，２２の後身頃に着脱可能に取付けることもできる。これによって、洗濯する場合にはポケット３，２３全体を外して子供用ズボン本体２，２２のみを洗うことができ、またポケット３，２３とベルト類７，９，１０とも着脱可能にしておけば、ポケット３，２３とベルト類７，９，１０をも別々に洗濯することができ、洗濯が非常に楽になる。そして、ポケット３，２３全体を子供用ズボン本体２，２２の後身頃に取付ける方法としては、例えばファスナーで全周またはその大部分を取付けるようにすれば、ポケット３，２３を直接子供用ズボン本体２，２２の後身頃に縫付けたのと遜色のない強度が得られる。
【００７９】
さらに、本発明が対象とする子供（乳児から幼児）の体の大きさは急速に大きくなって行くので、ベルト類付き子供用ズボン１の大きさも多種類を用意しておかなければならないが、ポケット３，２３の全体を子供用ズボン本体２，２２の後身頃に着脱可能にすれば、ベルト類付きポケット３，２３は１つで済み、子供用ズボン本体２，２２の後身頃にファスナー等の着脱具を取付けただけのものを大きさを変えて取り揃えれば良いので、全体として低コスト化を図ることができる。
【００８０】
また、上記各実施の形態においては、子供用ズボン本体２，２２としてオーバーオールを使用した例について説明したが、他の子供用長ズボン、半ズボンにも適用できる。
【００８１】
さらに、上記各実施の形態においては、子供用ズボン本体２，２２、ポケット３，２３、肩掛けベルト７、股布地９、腰ベルト１０をいずれもデニム生地で揃えた例について説明したが、他の生地で揃えても良いし、全てを同じ生地にしなくても良い。例えば、肩掛けベルト７及び腰ベルト１０を自動車のシートベルトのようなより丈夫な生地で製造しても良い。
【００８２】
また、ポケット３，２３に動物の顔等のデザインを施すと、オリジナル商品となり、付加価値が出る。さらに、ギャランティを支払って有名なキャラクターをデザインすれば値段は多少高くなるが注目を集めることができ、商品としての売れ行きが向上する。
【００８３】
さらに、上記各実施の形態においては、ポケット３の蓋３ａを開いてもポケット３の内部にはつながっていないダミーの蓋３ａとしたが、ポケット３の蓋３ａを開くとポケット３の内部につながっている構造とすることもできる。但し、ポケット３内部にベルト類７，９，１０を収納する際に多少やり難くなるので、ポケット３の内部のベルト類収納部分とは区分した方が好ましい。
【００８４】
さらに、上記各実施の形態においては、上部ファスナー４ａと下部ファスナー４ｂは、ポケット３の上下に設けられたものであるが、本発明を実施する場合には、上下の別なく設けることができる。例えば、上部ファスナー４ａと下部ファスナー４ｂは、引き出すのが容易なように上下に設けたものであるが、上部ファスナー４ａと下部ファスナー４ｂは、使用者の好みに応じて、上下の別なくコ字状、Ｃ字状、Ｏ字状に、或いは左右に、或いはさらに複数箇所に分割して開閉自在に構成することができる。
【００８５】
子供用ズボンのその他の部分の構造、形状、数量、材質、大きさ、接続関係等についても、上記各実施の形態に限定されるものではない。
【００８６】
【発明の効果】
以上説明したように、請求項１の発明にかかる子供用ズボンは、子供用ズボン本体の後身頃に縫付けられたポケットと、上部開閉具と、下部開閉具と、ポケット内部の上部開閉具近傍に左右１対で取付けられた長さ調節機構付きの肩掛けベルトと、ポケット内部の下部開閉具近傍に取付けられた子供の股を支える所定長さの股布地と、股布地の先端に中央部分が取付けられ、両端に１組の接続具の一方と他方それぞれを有し、肩掛けベルトの先端の接続具の一方に対応する位置に接続具の他方がそれぞれ取付けられた長さ調節機構付きの腰ベルトとを具備したものである。
【００８７】
この子供用ズボンにおいて、保護者が子供を抱く等するときには、ポケットの上部開閉具と下部開閉具を全開にして肩掛けベルトと股布地及び腰ベルトとをそれぞれ上下から引き出し、股布地を子供の股下を通してから腰ベルトを保護者の腰回りに回して両端の接続具を接続し、腰ベルトを保護者の腰回りに装着し、１対の肩掛けベルトを子供の両脇の下を通して保護者の肩に掛け、肩掛けベルトの先端の接続具の一方を腰ベルトに設けられた接続具の他方に接続する。
【００８８】
こうして、子供を抱いたり背負ったりすることができるが、子供の背中側から肩掛けベルトが出るので、子供と保護者の間に余裕があり、装着し易い。また、子供の股下を支える股布地を取付けたので子供が楽に座ることができ、子供と保護者を支えるための腰ベルトを設けたので双方とも楽である。さらに、肩掛けベルトを子供の脇の下を通して保護者の肩に掛けるので、子供の上半身も安定する。そして、外観的には子供が背中にリュックを背負っているように見え、さらに不使用時にはベルト類は全て子供用ズボンの背中のポケットに収納されるので、保護者のファッション性も子供のファッション性も損なわれることがない。
【００８９】
このようにして、子供も保護者も楽にかつ安定して取付けられるベルトを具備するとともに、いつでも必要なときに両手を空けて子供を抱いたり背負ったりすることができ、かつ保護者のファッション性をも子供のファッション性をも低下させることのない子供用ズボンとなる。
【００９０】
請求項２の発明にかかる子供用ズボンは、子供用ズボン本体の後身頃に縫付けられたポケットと、上端を残してポケットをほぼ一周するように開閉自在に取付けられたポケットファスナーと、ポケット内部の上部に左右１対で取付けられた先端に接続具の一方を有する長さ調節機構付きの肩掛けベルトと、ポケット内部の下部に取付けられた子供の股を支える所定長さの股布地と、股布地の先端に中央部分が取付けられ、両端に１組の接続具の一方と他方それぞれを有し、肩掛けベルトの先端の接続具の一方に対応する位置に接続具の他方がそれぞれ取付けられた長さ調節機構付きの腰ベルトとを具備するものである。
【００９１】
これによって、ポケットファスナーを開放することによってポケット内部に取付けられた肩掛けベルト、腰ベルト及び股布地を素早く上下へ引き出すことができ、引き出した後はポケットの表地と底地とを押え具で留めることによって、ポケットの表地がひらひらするのを抑えることができる。ベルト類の装着の仕方は、請求項１の発明にかかる子供用ズボンと同様である。また、不使用時には、ポケットファスナーを閉じながら肩掛けベルト、腰ベルト及び股布地をポケット内部へ収納する。
【００９２】
ここで、子供の背中側から肩掛けベルトが出るので、子供と保護者の間に余裕があり、装着し易い。また、子供の股下を支える股布地を取付けたので子供が楽に座ることができ、子供と保護者を支えるための腰ベルトを設けたので双方とも楽である。さらに、肩掛けベルトを子供の脇の下を通して保護者の肩に掛けるので、子供の上半身も安定する。そして、外観的には子供が背中にリュックを背負っているように見え、さらに不使用時にはベルト類は全て子供用ズボンの背中のポケットに収納されるので、保護者のファッション性も子供のファッション性も損なわれることがない。
【００９３】
請求項３の発明にかかる子供用ズボンは、請求項１または請求項２の構成において、前記肩掛けベルト及び／または前記股布地が着脱可能に前記ポケット内に取付けられているものである。
【００９４】
これによって、洗濯するときに子供用ズボン本体とベルト類とを別々に洗濯することができるので、非常に楽である。また、肩掛けベルト及び股布地とそれにつながる腰ベルトを全て外してしまえば、ポケットの中に空間ができるので、リュックサックとして使用することができ、外出時にタオル・ハンカチ・ティッシュペーパー等を入れて、子供に背負わせて歩かせることができる。
【００９５】
請求項４の発明にかかる子供用ズボンは、請求項１乃至請求項３のいずれか１つの構成において、前記ポケットの前面の蓋の下に一または二以上の小ポケットを取付けたものである。
【００９６】
このように小ポケットを取付けることによって、ちょっとした小物（ハンカチ、ティッシュペーパー、菓子等）を入れることができて便利であり、さらに小ポケットを本体ポケットと同じような形にすれば、ポケットの蓋を開けたときにおまけが付いているようで、可愛らしさがあってファッション性が向上する。
【００９７】
請求項５の発明にかかる子供用ズボンは、請求項１乃至請求項４のいずれか１つの構成において、前記ポケット内において、前記肩掛けベルトの収納部分と前記腰ベルト及び前記股布地の収納部分が区分されているものである。
【００９８】
このように、ポケット内の上部開閉具から入れる部分と下部開閉具から入れる部分が区分されていれば、肩掛けベルトと腰ベルトが絡まることもなくスムーズに別々に引き出すことができ、また肩掛けベルトと腰ベルトとして使用しているときに、開いている上部開閉具から空のポケット内に物を入れても落ちる心配はない。
【００９９】
請求項６の発明にかかる子供用ズボンは、請求項１乃至請求項５のいずれか１つの構成において、前記肩掛けベルト、前記腰ベルト及び前記股布地は前記子供用ズボン本体と同一の生地で作られているものである。
【０１００】
これによって、肩掛けベルト、腰ベルトの使用中においても、子供用ズボン本体と一体化して見られるため、子供のファッション性を損なうことがない。
【０１０１】
請求項７の発明にかかる子供用ズボンは、請求項１乃至請求項６のいずれか１つの構成において、前記１対の肩掛けベルト、前記ポケットの本体、及び前記股布地の中に緩衝材を入れたものである。
【０１０２】
１対の肩掛けベルトには、保護者が子供を抱く等するときに肩の部分に荷重が掛かり、ポケットの本体には子供の臀部が当り、股布地には子供の股が当るため、中にドミット芯やウレタンフォーム等の緩衝材を入れて当りを柔らかくし、局部的に圧迫されないようにしたものである。
【０１０３】
請求項８の発明にかかる子供用ズボンは、請求項１乃至請求項７のいずれか１つの構成において、前記ポケットの全体を前記子供用ズボン本体の後身頃に着脱可能に取付けたものである。
【０１０４】
これによって、洗濯する場合にはポケット全体を外して子供用ズボン本体のみを洗うことができ、また請求項３に記載の構成のようにポケットとベルト類とも着脱可能にしておけば、ポケットとベルト類をも別々に洗濯することができ、洗濯が非常に楽になる。さらに、本発明が対象とする子供（乳児から幼児）の体の大きさは急速に大きくなって行くので、ベルト類付き子供用ズボンの大きさも多種類を用意しておかなければならないが、ポケットの全体を子供用ズボン本体の後身頃に着脱可能にすれば、ベルト類付きポケットは１つで済み、子供用ズボン本体の後身頃にファスナー等の着脱具を取付けただけのものを大きさを変えて取り揃えれば良いので、全体として低コスト化を図ることができる。
【０１０５】
請求項９の発明にかかる子供用ズボンは、請求項１，請求項３乃至請求項８のいずれか１つの構成において、前記上部開閉具と下部開閉具は、上下の別なく設けられたものであるから、利用者の好みに合致したデザインが可能となる。
【図面の簡単な説明】
【図１】図１は本発明の実施の形態１にかかる子供用ズボンのベルト類をポケット内に収納した状態を示す背面図である。
【図２】図２は本発明の実施の形態１にかかる子供用ズボンのベルト類をポケットから出して伸ばした状態を示す説明図である。
【図３】図３（ａ）は本発明の実施の形態１にかかる子供用ズボンのベルト類を肩掛けベルトを交差させて装着した状態を示す背面図、（ｂ）は肩掛けベルトを交差させずに装着した状態を示す背面図である。
【図４】図４は本発明の実施の形態１にかかる子供用ズボンのベルト類を装着する寸前の状態を前面から見た正面図である。
【図５】図５（ａ）は本発明の実施の形態１にかかる子供用ズボンを用いて乳児を抱いた状態を示す斜視図、（ｂ）はもう少し大きい幼児を抱いた状態を示す斜視図である。
【図６】図６（ａ）は本発明の実施の形態２にかかる子供用ズボンのポケットの前面に取付ける小ポケットをポケットの蓋を開いて示した図、（ｂ）〜（ｅ）は小ポケットの様々な例を示す図である。
【図７】図７（ａ），（ｂ）は本発明の実施の形態３にかかる子供用ズボンのポケットの上部開閉具と下部開閉具との関係を示す説明図である。
【図８】図８は本発明の実施の形態４にかかる子供用ズボンのポケット内における肩掛けベルトと股布地の取付け方を示す説明図である。
【図９】図９（ａ），（ｂ）は上記実施の形態１〜３における子供用ズボンのポケット下部における股布地の取付け方と取外し方を示す説明図である。
【図１０】図１０（ａ），（ｂ）は本発明の実施の形態４にかかる子供用ズボンのポケット下部における股布地の取付け方と取外し方を示す説明図である。
【図１１】図１１は本発明の実施の形態５にかかる子供用ズボンのベルト類をポケット内に収納した状態を示す背面図である。
【図１２】図１２は本発明の実施の形態５にかかる子供用ズボンのベルト類をポケットから出して伸ばした状態を示す説明図である。
【符号の説明】
１，２１  子供用ズボン
２，２２  子供用ズボン本体
３，２３  ポケット
３ｂ，２３ａ  ドット釦凸側
３ｃ，２３ｂ  ドット釦凹側
４ａ  上部開閉具
４ｂ  下部開閉具
５ａ，５ｂ，５ｃ，５ｄ，５ｅ  小ポケット
７  肩掛けベルト
７ａ，１０ａ  長さ調節機構
８ａ  接続具の一方
８ｂ  接続具の他方
９  股布地
１０  腰ベルト
１１ａ  肩掛けベルト受け縫付け生地
１１ｂ  股布地受け縫付け生地
１５  保護者
１６  子供
２４  ポケットファスナー
【図１】
2005060847.tif 000003
【図２】
2005060847.tif 000004
【図３】
2005060847.tif 000005
【図４】
2005060847.tif 000006
【図５】
2005060847.tif 000007
【図６】
2005060847.tif 000008
【図７】
2005060847.tif 000009
【図８】
2005060847.tif 000010
【図９】
2005060847.tif 000011
【図１０】
2005060847.tif 000012
【図１１】
2005060847.tif 000013
【図１２】
2005060847.tif 000014